(57)【要約】  スモール基地局へのトラフィックのオフロードを促進させるために、基地局は、基地局の周辺の他の基地局の情報が記載された隣接セルリストと、隣接セルリストを管理し、隣接セルリストに記載された基地局がスモールセルを配下に持つスモール基地局である場合とスモール基地局以外の基地局である場合とで異なる基準に基づいて、所定の頻度で隣接セルリストに記載された基地局の情報を隣接セルリストから削除する隣接基地局情報管理手段と、を備える。
2015141187.tif 000002
【特許請求の範囲】
【請求項１】
配下のセルに存在する端末との通信に用いられる基地局であって、
前記基地局の周辺の、他の基地局の情報が記載された隣接セルリストと、
前記隣接セルリストを管理し、前記隣接セルリストに記載された基地局がスモールセルを配下に持つスモール基地局である場合と前記スモール基地局以外の基地局である場合とで異なる基準に基づいて、前記隣接セルリストに記載された基地局の情報を所定の頻度で前記隣接セルリストから削除する隣接基地局情報管理手段と、を備えることを特徴とする基地局。
【請求項２】
前記スモールセルは、マクロセルよりもサービスエリアが狭いセルである、ことを特徴とする請求項１に記載された基地局。
【請求項３】
さらに、
前記端末と通信するための第１の通信手段と、
前記他の基地局と通信するための第２の通信手段と、
前記他の基地局の配下のセルが、前記スモールセルであるか前記スモールセル以外のセルであるかを示すセル種別情報を取得するセル種別情報取得手段と、
前記端末のハンドオーバ先の基地局を決定するハンドオーバ処理手段と、
前記ハンドオーバ先の基地局へのハンドオーバが発生した時刻であるハンドオーバ発生時刻と前記ハンドオーバ先の基地局の情報とを記憶するハンドオーバ管理テーブルと、
前記ハンドオーバ管理テーブルを管理するハンドオーバ管理手段と、を備える請求項１又は２に記載された基地局。
【請求項４】
前記ハンドオーバ管理手段は、
前記隣接セルリストに記載された基地局のうち、所定の時間間隔の間にハンドオーバが発生していなかった基地局を前記所定の頻度で前記ハンドオーバ管理テーブルから抽出して削除候補基地局とし、
前記削除候補基地局が前記スモール基地局である場合には前記削除候補基地局の情報を前記隣接セルリストから削除せず、
前記削除候補基地局が前記スモール基地局以外の基地局である場合には前記削除候補基地局の情報を前記隣接セルリストから削除する、ことを特徴とする請求項３に記載された基地局。
【請求項５】
前記基準は所定の時間間隔の間のハンドオーバ発生回数に基づいて設定されることを特徴とする、請求項３に記載された基地局。
【請求項６】
前記ハンドオーバ管理手段は、
前記ハンドオーバ発生回数に、前記隣接セルリストに記載された基地局が前記スモール基地局である場合と前記隣接セルリストに記載された基地局が前記スモール基地局以外の基地局である場合とで異なる係数を乗算し、
前記乗算の結果と所定の閾値との比較結果に基づいて前記隣接セルリストに記載された基地局の情報を前記隣接セルリストから削除するかどうかを前記所定の頻度で決定する、ことを特徴とする請求項５に記載された基地局。
【請求項７】
前記基準は前記端末から通知された前記他の基地局との通信品質を示す数値に基づいて設定され、
前記ハンドオーバ管理手段は、
前記通信品質を示す数値に、前記隣接セルリストに記載された基地局が前記スモール基地局である場合と前記隣接セルリストに記載された基地局が前記スモール基地局以外の基地局である場合とで異なる係数を乗算し、
前記乗算の結果と所定の閾値との比較結果に基づいて前記隣接セルリストに記載された基地局の情報を前記隣接セルリストから削除するかどうかを決定する、ことを特徴とする請求項３に記載された基地局。
【請求項８】
請求項３乃至７のいずれかに記載された基地局と端末とを備え、前記端末は前記基地局の前記第１の通信手段と通信するように構成された、通信システム。
【請求項９】
さらに、
前記基地局と通信可能なＳＯＮ（Self Organized Network）サーバを備え、
前記ＳＯＮサーバは、前記隣接セルリストを記憶する、
ことを特徴とする請求項８に記載された通信システム。
【請求項１０】
移動通信システムで用いられる基地局の情報が記載された隣接セルリストに記載された基地局の情報を、スモールセルを配下に持つスモール基地局である場合と前記隣接セルリストに記載された基地局が前記スモール基地局以外の基地局である場合とで異なる基準に基づいて、所定の頻度で前記隣接セルリストから削除する、ことを特徴とする基地局の制御方法。
【発明の詳細な説明】
【技術分野】
【０００１】
本発明は、基地局及び基地局の制御方法に関し、特に、移動通信システムで用いられる基地局及び基地局の制御方法に関する。
【背景技術】
【０００２】
近年の、スマートホンに代表される移動通信端末の普及に伴い、移動通信システムにおいて、データを主体とするトラフィックが急増している。特に都市部の人口密集地において、基地局のトラフィックを他の基地局へ分散させる（オフロードする）手段の１つとして、ヘテロジーニアスネットワーク(以下、「ＨｅｔＮｅｔ」という。)が知られている。ＨｅｔＮｅｔでは、比較的サービスエリアが広く、多数のユーザが収容されるセル（マクロセル）内に、スモールセルを配下に持つ基地局が配置される。スモールセルは、マクロセルよりも小規模なセルである。以下では、マクロセルを配下に持つ無線基地局を「マクロ基地局」と呼び、スモールセルを配下に持つ無線基地局を「スモール基地局」と呼ぶ。【０００３】
例えば、周辺のセルよりもサービスエリアが狭いセルが、スモールセルと呼ばれることがある。また、基地局の送信電力が、周辺のマクロ基地局の送信電力よりも小さい基地局が、スモール基地局と呼ばれることがある。あるいは、例えば、セルのカバーエリアが半径５０ｍ以下のセルの基地局や収容ユーザ数が１０ユーザ以下の基地局、又は、送信電力が１０Ｗ未満の基地局がスモール基地局と呼ばれてもよく、このような基地局の配下のセルがスモールセルと呼ばれてもよい。スモールセルには、マイクロセル、ピコセル、フェムトセルと呼ばれるセルが含まれてもよい。【０００４】
マクロ基地局とスモール基地局とが混在する移動通信システムにおいては、マクロ基地局からスモール基地局へのハンドオーバを促進することで、マクロ基地局のトラフィックをスモール基地局に移行させることができる。すなわち、マクロ基地局からスモール基地局へのトラフィックのオフロードにより、マクロ基地局のトラフィックの逼迫が回避される。その結果、移動通信サービスの品質の向上が期待される。【０００５】
一方、移動通信システムで用いられる基地局は、基地局が管理するセルに隣接する他のセル（隣接セル）及び隣接セルを配下に持つ基地局（隣接基地局）の情報を、「隣接セルリスト」として保持している。基地局は、隣接セルの情報を、隣接セルリストに動的に追加しあるいは隣接セルリストから削除する。【０００６】
一般に、隣接セルリストに登録することが可能な隣接基地局の数には上限がある。例えば、３ＧＰＰ（3rd Generation Partnership Project）で規定されたＬＴＥ（Long Term Evolution）システムにおいて、隣接セルリストに登録可能な隣接基地局の数の上限は３２個である。このため、隣接セルリストに登録された隣接基地局の数が３２個に達した場合には、さらに隣接基地局を登録するためには、既に登録されている隣接基地局の一部を削除する必要がある。【０００７】
特許文献１−３には、隣接セル（あるいは隣接基地局）の情報を隣接セルリストから削除する技術が記載されている。特許文献１に記載された基地局は、無線品質が悪いとされたセルを隣接セルリストから削除する。特許文献２に記載された基地局は、所定の期間内にハンドオーバが行われなかった隣接基地局を隣接セルリストから削除する。特許文献３に記載された基地局制御装置は、隣接ゾーンの登録数が登録可能数を越える場合に、ハンドオーバの実行回数の少ない順に隣接ゾーンの登録を抹消する。
【先行技術文献】
【特許文献】
【０００８】
【特許文献１】特開２０１３−０２６７４２号公報（［００８８］段落）
【特許文献２】特開２０１１−００４１０１号公報（［００６１］段落）
【特許文献３】特開平０９−２８４８２８号公報（［００２１］段落）
【発明の概要】
【発明が解決しようとする課題】
【０００９】
ＨｅｔＮｅｔでは、マクロセルとスモールセルとが混在している。このため、ＨｅｔＮｅｔで用いられる基地局の隣接セルリストには、マクロ基地局とスモール基地局とが記載される。従って、ＨｅｔＮｅｔでは、隣接セルリストに記載されている基地局の情報が削除される際に、ハンドオーバの頻度が低いスモール基地局の情報が削除対象となる場合がある。しかしながら、スモール基地局の情報が隣接セルリストから削除されると、トラフィックをオフロードするために使用できるスモール基地局が減少あるいは消滅する。すなわち、スモール基地局の情報が隣接セルリストから削除されると、スモール基地局へのトラフィックのオフロード量が低下し、期待された通信品質の向上が得られない可能性がある。そして、特許文献１−３は、スモール基地局の情報が隣接セルリストから削除されることによりマクロ基地局からスモール基地局へのトラフィックのオフロードが抑制される、という課題を解決するための技術を開示していない。
（発明の目的）
本発明の目的は、スモール基地局へのトラフィックのオフロードを促進させることにある。
【課題を解決するための手段】
【００１０】
本発明の基地局は、配下のセルに存在する端末との通信に用いられる基地局であって、前記基地局の周辺の、他の基地局の情報が記載された隣接セルリストと、前記隣接セルリストを管理し、前記隣接セルリストに記載された基地局がスモールセルを配下に持つスモール基地局である場合と前記スモール基地局以外の基地局である場合とで異なる基準に基づいて、所定の頻度で前記隣接セルリストに記載された基地局の情報を前記隣接セルリストから削除する隣接基地局情報管理手段と、を備える。【００１１】
本発明の基地局の制御方法は、移動通信システムで用いられる基地局の情報が記載された隣接セルリストに記載された基地局の情報を、スモールセルを配下に持つスモール基地局である場合と前記隣接セルリストに記載された基地局が前記スモール基地局以外の基地局である場合とで異なる基準に基づいて、所定の頻度で前記隣接セルリストから削除する、ことを特徴とする。
【発明の効果】
【００１２】
本発明の基地局及び基地局の制御方法は、スモール基地局へのトラフィックのオフロードを促進させるという効果を奏する。
【図面の簡単な説明】
【００１３】
【図１】第１の実施形態の無線通信システムの構成を示すブロック図である。
【図２】第１の実施形態の無線通信システムのハンドオーバ動作の一例を示すシーケンス図である。
【図３】第１の実施形態の隣接セルリストの更新手順を示すフローチャートである。
【図４】第２の実施形態の隣接セルリストの更新手順を示すフローチャートである。
【図５】第３の実施形態の隣接セルリストの更新手順を示すフローチャートである。
【発明を実施するための形態】
【００１４】
図１は、本発明の第１の実施形態の無線通信システム１００の構成を示すブロック図である。無線通信システム１００は、３ＧＰＰで規定されたＬＴＥのネットワークであり、基地局１−３及び端末４を備える。基地局１−３は、ＬＴＥで用いられる無線基地局である。端末４は、ＬＴＥに対応した、スマートホン等の移動通信端末である。基地局１−３は同一の構成及び機能を備えるため、以下では基地局１について説明し、基地局２及び３に関する説明は省略する。
【００１５】
なお、無線通信システム１００は、さらに、ＳＯＮ（Self Organized Network）サーバ２００を備えてもよい。ＳＯＮサーバ２００は、基地局１−３等の、移動通信システムを構成する機器の設定を自動的に行う機能を備える。ＳＯＮサーバ２００は、基地局１−３と通信可能なように配置される。
【００１６】
基地局１は、ネットワーク通信部１１、基地局動作部１２及び無線通信部１３を備える。基地局動作部１２は、ハンドオーバ処理部１２１、隣接基地局情報管理部１２２、隣接基地局情報報知部１２３、ハンドオーバ管理部１２４、記憶部１２５及びセル種別情報取得部１２６を備える。記憶部１２５は、例えば半導体不揮発メモリである。記憶部１２５は、隣接基地局の情報を削除する際に用いられる、時間間隔Ｔを記憶する。記憶部１２５は、さらに、基地局動作部１２の動作に必要な情報を記憶する。
【００１７】
基地局１は、さらに、ＣＰＵ（central ｐrocessing unit)１２７及びメモリ１２８を備えていてもよい。メモリ１２８は、例えば半導体の不揮発メモリである。メモリ１２８は、ＣＰＵ１２７によって実行されるプログラムを格納する。以下で説明する基地局１の機能は、基地局１の各部を制御するためのプログラムを、ＣＰＵ１２７が実行することによって実現されてもよい。
【００１８】
無線通信部１３は、端末４との通信機能を備える、ＬＴＥに対応した無線インタフェース回路である。さらに、無線通信部１３は、他の基地局２及び３の無線通信部と通信する機能を備えていてもよい。基地局１は、ＬＴＥに対応した端末４との間で無線通信部１３を介して無線通信を行う。
【００１９】
ネットワーク通信部１１は、基地局２及び３にも備えられるネットワーク通信部１１と通信を行うためのインタフェース回路である。ネットワーク通信部１１を経由して、基地局１−３間の制御メッセージが送受信される。ネットワーク通信部１１の通信手段は無線通信に限られない。ネットワーク通信部１１は、有線通信によって他の基地局２及び３のネットワーク通信部１１と通信してもよい。ネットワーク通信部１１は、ＬＴＥで規定された、基地局間通信のためのＸ２インタフェースを備えてもよい。
【００２０】
基地局１が送信した制御メッセージは、基地局２及び基地局３で受信される。基地局１が送信する、基地局間の制御メッセージは、一般的に、それぞれの基地局が備えるネットワーク通信部１１を経由して行われる。しかし、基地局間の制御メッセージは、基地局１−３がそれぞれ備える無線通信部１３によって送受信されてもよい。すなわち、基地局１の無線通信部１３が他の基地局へ制御メッセージを送信し、他の基地局の無線通信部１３が、基地局１から送信される制御メッセージを受信してもよい。
【００２１】
これらの基地局間の制御メッセージは、セル種別情報を含む。セル種別情報は、制御メッセージを送信する基地局のセルが、スモールセルであるかスモールセル以外のセルであるかを示す。いいかえれば、セル種別情報は、そのセルの基地局がスモール基地局であるか、スモール基地局以外の基地局（例えばマクロ基地局）であるかを示す。各基地局にはセル種別情報が設定され、各基地局は設定されたセル種別情報を記憶する。
【００２２】
ハンドオーバ処理部１２１は、端末４のハンドオーバが発生した際の、ハンドオーバ先の基地局を決定する。隣接基地局情報管理部１２２は、隣接セルリストを管理する。隣接基地局情報報知部１２３は、隣接セルリストを複数の端末に報知するための報知情報を生成する。報知情報は、無線通信部１３からブロードキャストされ、基地局１の配下の端末で受信される。
【００２３】
基地局1の隣接セルリストには、基地局１の隣接セル及び隣接基地局の情報が記録される。ハンドオーバ管理部１２４は、ハンドオーバ管理テーブルを管理する。ハンドオーバ管理テーブルには、隣接セルリストに登録されている全ての隣接基地局のハンドオーバ発生時刻が記録される。
【００２４】
セル種別情報取得部１２６は、他の基地局から受信した制御メッセージからセル種別情報を抽出する。抽出されたセル種別情報は、制御メッセージを送信した基地局と関連づけられて記憶される。セル種別情報は、隣接セルリストに、基地局の情報と対応して記憶される。あるいは、セル種別情報は、記憶部１２５に記憶されてもよい。端末４から通知された制御メッセージにセル種別情報が含まれている場合には、セル種別情報取得部１２６は、端末４から受信した制御メッセージからセル種別情報を抽出する。
【００２５】
すなわち、基地局１は、隣接セルのセル種別情報を参照することにより、隣接セルの基地局がスモール基地局であるか、スモール基地局以外の基地局であるかを知ることができる。
【００２６】
ハンドオーバ処理部１２１、隣接基地局情報管理部１２２、隣接基地局情報報知部１２３、ハンドオーバ管理部１２４及びセル種別情報取得部１２６の上述された機能は、ＣＰＵ１２７が実行するプログラム、または、電子回路によって実現される。
【００２７】
セル種別情報は、基地局１の無線通信部１３から送信される制御メッセージに含まれて、他の基地局に通知されてもよい。この場合、他の基地局の無線通信部１３は、基地局１の無線通信部１３から受信した制御メッセージを、各々のセル種別情報取得部１２６に通知する。
【００２８】
次に、基地局１に属する端末４が基地局間でハンドオーバを行う手順について説明する。以下では、無線通信システム１００におけるハンドオーバ先の基地局の決定手順などの、一般的な移動通信システムにおいて知られている機能の説明は、適宜省略される。
【００２９】
ハンドオーバ元及びハンドオーバ先の基地局の無線通信部１３は、端末４との間でハンドオーバのための制御メッセージを送受信する。端末４は、端末４が現在所属する基地局１、及び、基地局１に隣接する基地局２、３から下り信号（Reference Signal）の強度を受信し、下り信号の受信強度に基づいて各基地局との間の通信品質を測定する。通信品質としては、下り信号の受信強度以外の指標（例えば、受信信号の信号対雑音比又はエラーレート）が用いられてもよい。端末４は、測定された通信品質を、制御メッセージを用いて基地局１に送信する。
【００３０】
図２は、無線通信システム１００の、ハンドオーバ動作の一例を示すシーケンス図である。図２においては、図１の基地局１がハンドオーバ元の基地局（以下、「ソース基地局」という。）であり、基地局２がハンドオーバ先の基地局（以下、「ターゲット基地局」という。）である場合について説明する。
【００３１】
測定制御（図２のステップａ１）では、基地局１は、端末４に、端末４の隣接基地局の情報の送信を要求する。そして、基地局１は、アップリンク（ＵＬ、uｐlink）のリソースを端末４に割り当てる（ａ２）。
【００３２】
基地局１は、測定制御への応答である測定報告（Measurement Reｐort）を端末４から受信する（ａ３）。測定報告には、端末４が収集した、端末４及びその隣接基地局との通信品質を示す通信品質の情報や、端末４及びその周辺にある基地局の無線リソースの情報が含まれる。測定報告には、通信品質が測定された隣接基地局のセル種別情報が含まれてもよい。測定報告は、基地局１の無線通信部１３で受信された後、基地局動作部１２に入力される。基地局動作部１２では、測定報告の内容が保存される。例えば、隣接基地局情報管理部１２２は、測定報告の内容を、基地局と関連づけて隣接セルリストに記載する。
【００３３】
ハンドオーバ処理部１２１は、測定報告に含まれる通信品質情報や無線リソースの情報に基づいて、ターゲット基地局を決定する（「ＨＯ先決定」、ａ２０）。図２では、図１の基地局２がターゲット基地局となった場合について説明する。
【００３４】
ハンドオーバ処理部１２１は、決定したターゲット基地局の情報を隣接基地局情報管理部１２２に通知する。さらに、ハンドオーバ処理部１２１は、ターゲット基地局の情報とハンドオーバ発生時刻とを、ハンドオーバ管理部１２４に通知する。
【００３５】
ハンドオーバ管理部１２４は、ハンドオーバ管理テーブルを管理する。ハンドオーバ管理テーブルは、隣接セルリストに登録されている全ての隣接基地局のハンドオーバ発生時刻を保持している。ハンドオーバ管理部１２４は、ハンドオーバ処理部１２１から通知されたターゲット基地局の情報とハンドオーバ発生時刻とに基づいて、ハンドオーバ管理テーブルを更新する。
【００３６】
ハンドオーバ管理テーブルにターゲット基地局の情報のみが登録されている場合には、ハンドオーバ管理部１２４は、ターゲット基地局の情報と最新のハンドオーバ発生時刻とを取得すると、ハンドオーバ管理テーブルに、ハンドオーバ発生時刻を追加する。ターゲット基地局の情報にハンドオーバ発生時刻が登録されている場合は、ハンドオーバ管理部１２４は、ターゲット基地局のハンドオーバ発生時刻に最新のハンドオーバ発生時刻を追加し、あるいは、ターゲット基地局のハンドオーバ発生時刻を更新する。ターゲット基地局の情報がハンドオーバ管理テーブルに登録されていない場合は、ハンドオーバ管理部１２４は、ターゲット基地局の情報と共にハンドオーバ発生時刻をハンドオーバ管理テーブルに登録する。このように、ハンドオーバ管理部１２４は、ハンドオーバ管理テーブルに記録されている、最新のハンドオーバ発生時刻のデータや通知されたターゲット基地局のハンドオーバ発生時刻のデータを更新する。
【００３７】
ハンドオーバ処理部１２１は、ネットワーク通信部１１を介して、ターゲット基地局として選定された基地局２に、ハンドオーバ要求を送信する（ａ４）。
【００３８】
続いて、ターゲット基地局（基地局２）の動作について説明する。ハンドオーバ要求（ａ４）を受信した基地局２は、基地局２のハンドオーバ処理部１２１において、ハンドオーバ要求からソース基地局（基地局１）の情報を抽出して、ハンドオーバ処理（「ＨＯ処理」、ａ２１）に移行する。基地局２は、ハンドオーバ要求応答を基地局１に返信する（ａ５）。このようにして、基地局２のハンドオーバ処理部１２１は、ハンドオーバ発生時刻及び制御メッセージに含まれるソース基地局の情報を収集する。
【００３９】
ターゲット基地局におけるハンドオーバ処理（ａ２１）について説明する。基地局２のハンドオーバ処理部１２１は、受信した基地局１の情報を、隣接基地局情報管理部１２２に通知する。さらに、基地局２のハンドオーバ処理部１２１は、収集した基地局１の情報とハンドオーバ発生時刻とを、基地局２のハンドオーバ管理部１２４に通知する。
【００４０】
基地局２のハンドオーバ管理部１２４は、基地局２の隣接基地局情報管理部１２２によって管理される隣接セルリストに登録されている、全ての隣接基地局のハンドオーバ発生時刻を、ハンドオーバ管理テーブルに記憶させる。ハンドオーバ管理部１２４は、入力された基地局１の情報と基地局１から基地局２へのハンドオーバ発生時刻とに基づいて、基地局２のハンドオーバ管理テーブルを更新する。
【００４１】
基地局２のハンドオーバ管理テーブルの基本的な更新手順は、基地局１のハンドオーバ管理テーブルの更新手順と同様である。すなわち、基地局２のハンドオーバ管理部１２４は、ソース基地局（基地局１）から最新のハンドオーバ発生時刻を取得する。ソース基地局の情報が既に登録済みである場合には、基地局２は、ハンドオーバ管理テーブルに、ソース基地局と対応させてハンドオーバ発生時刻を追加する。ソース基地局の情報にハンドオーバ発生時刻が登録済みである場合は、ハンドオーバ管理部１２４は、ソース基地局のハンドオーバ発生時刻を追加するか、あるいはハンドオーバ発生時刻を最新の時刻に更新する。ソース基地局の情報がハンドオーバ管理テーブルに登録されていない場合は、ハンドオーバ管理部１２４は、ソース基地局の情報と対応させて、ハンドオーバ発生時刻をハンドオーバ管理テーブルに登録する。以上の処理がＨＯ処理（ａ２１）で行われる。
【００４２】
ハンドオーバ要求応答（ａ５）を基地局２から受信した基地局１は、ＤＬ（Down Link）割り当てメッセージ及びＲＲＣ（Radio Resource Control）接続再構築メッセージを端末４に送信する（ａ６、ａ７）。さらに、基地局１は、ＳＮ（Sequence Number） Ｓｔａｔｕｓ転送を基地局２に送信する（ａ８）。
【００４３】
ＲＲＣ接続再構築メッセージを受信した端末４は（ａ７）、基地局２に同期要求を送信する（ａ９）。端末４は、基地局２からＵＬ割り当て（ａ１０）を受信すると、基地局２にＲＲＣ接続再構築完了メッセージを返信する（ａ１１）。
【００４４】
ＲＲＣ接続再構築完了メッセージを受信した基地局２は、ＭＭＥ（Mobility Management Entity）にパススイッチ（Path Switch）要求を送信する（ａ１２）。ＭＭＥはサービングゲートウェイ（Serving Gateway）宛てにユーザプレーン更新（User Plane Uｐdate）要求を送信する（ａ１３）。ユーザプレーン更新要求に対して、ユーザプレーン更新応答（ａ１４）、パススイッチ要求応答（ａ１５）がそれぞれ送信され、端末のコンテキストが解放される（UE Context Release、ａ１６）。これにより、ユーザプレーンパスが、ソース基地局側からターゲット基地局側に切り替わる。
【００４５】
基地局１及び基地局２のハンドオーバ管理部１２４は、周期的に、隣接セルリストを更新する（ａ２２、ａ２３）。以下に、隣接セルリストの更新手順を説明する。図３は、第１の実施形態の隣接セルリストの更新手順を示すフローチャートである。図３の手順は、ソース基地局及びターゲット基地局で共通である。
【００４６】
基地局１及び基地局２のハンドオーバ管理部１２４は、所定の頻度で、ハンドオーバ管理テーブルを参照して、隣接基地局のハンドオーバ発生時刻を確認する（図３のステップａ３１）。ハンドオーバ発生時刻が参照される所定の頻度は、例えば、１週間に１回、あるいは１か月に１回であるが、これらに限定されない。ハンドオーバ管理部１２４は、それぞれの隣接基地局について、現在から過去の時間間隔Ｔの間にハンドオーバが発生したかどうかを調べる（ａ３２）。時間間隔Ｔは、記憶部１２５に記憶されており、例えば、２４時間であるが、この間隔には限定されない。時間間隔Ｔの間にハンドオーバが発生していない（ａ３２：Ｎｏ）基地局は、隣接セルリストから削除する候補となる基地局（以下、「削除候補基地局」という。）とされる（ａ３３）。削除候補基地局となる基地局が存在する場合には、ハンドオーバ管理部１２４は、削除候補基地局の情報を隣接基地局情報管理部１２２に通知する（ａ３４）。
【００４７】
隣接基地局情報管理部１２２は、通知された削除候補基地局がスモール基地局であるかどうかを確認する（ａ３５）。隣接基地局情報管理部１２２は、通知された削除候補基地局がスモール基地局であるかどうかを、セル種別情報取得部１２６によって取得されたセル種別情報を参照することで知ることができる。セル種別情報が隣接セルリストに記載されている場合には、隣接基地局情報管理部１２２は、隣接セルリストを参照して、削除候補基地局がスモール基地局であるかどうかを確認する。
【００４８】
なお、以降の説明では、「基地局の情報を隣接セルリストから削除する」等を、単に「基地局を隣接セルリストから削除する」等と記載する。
【００４９】
削除候補基地局がスモール基地局でない場合には（ａ３５：Ｎｏ）、隣接基地局情報管理部１２２は、入力された削除候補基地局を隣接セルリストから削除して、隣接セルリストを更新する（ａ３６）。しかし、削除候補基地局がスモール基地局である場合には（ａ３５：Ｙｅｓ）、隣接基地局情報管理部１２２は、その削除候補基地局を隣接セルリストから削除しない（ａ３７）。ステップａ３２においてハンドオーバが発生していた場合にも（ａ３２：Ｙｅｓ）、隣接基地局情報管理部１２２は、その削除候補基地局を隣接セルリストから削除しない（ａ３７）。更新された隣接セルリストは、端末４に報知される（ａ３８）。隣接セルリストは、隣接基地局情報報知部１２３で生成される報知情報として、無線通信部１３から送信される。
【００５０】
設置後、１回もハンドオーバが発生していない隣接基地局については、参照されるハンドオーバ発生時刻が存在しない。このため、設置後に１回もハンドオーバが発生していない隣接基地局の情報が設置直後に参照されると、時間間隔Ｔよりも短い時間間隔におけるハンドオーバの有無に基づいてハンドオーバが発生していないと判断され、当該基地局が削除される恐れがある。このような不都合を回避するために、基地局の設置時刻や運用開始時刻がハンドオーバ管理テーブルに記憶されてもよい。そして、ハンドオーバ管理部１２４は、これらの時刻を最初のハンドオーバ発生時刻として、ハンドオーバの発生の有無を確認してもよい。
【００５１】
第１の実施形態において、隣接セルリストは、基地局ごとに記憶部１２５に記憶されてもよい。しかしながら、隣接セルリストは、基地局の外部に記憶されてもよい。例えば、基地局１−３は、基地局の内部に隣接セルリストを保存せずに、ＳＯＮサーバ２００に隣接セルリストを保存してもよい。この場合、基地局１−３が隣接セルリストを参照する際には、隣接基地局情報管理部１２２は、ネットワーク通信部１１を経由してＳＯＮサーバ２００に記憶された隣接セルリストにアクセスする。
【００５２】
隣接セルリストが各基地局に記憶されることで、隣接セルリストが頻繁に更新される場合でも、ＳＯＮサーバと基地局との間の通信のトラフィックが圧迫されないという利点がある。一方、隣接セルリストがＳＯＮサーバに記憶されることで、ＳＯＮサーバは、システムの仕様変更の際に複数の基地局の隣接セルリストを一斉に更新できる。さらに、故障により基地局が交換された場合でも、ＳＯＮサーバ２００に記憶された隣接セルリストを用いることで、新しい基地局は、故障した基地局の隣接セルリストを用いた運用を迅速に開始できる。以降の実施形態においては、隣接セルリストは各基地局に記憶されてもよいし、ＳＯＮサーバ２００に記憶されてもよい。
【００５３】
このように、第１の実施形態の無線通信システム１００では、ソース基地局である基地局１は、ハンドオーバ発生時刻と、ターゲット基地局である基地局２の情報に基づいて、自身が保持するハンドオーバ管理テーブルを更新する。ターゲット基地局である基地局２は、ハンドオーバ発生時刻と、ソース基地局である基地局１の情報に基づいて、自身が保持するハンドオーバ管理テーブルを更新する。
【００５４】
また、基地局は、他の基地局がスモール基地局であるかそれ以外の基地局であるかを示すセル種別情報を、当該基地局の情報と対応させて記憶する。
【００５５】
このように、基地局におけるハンドオーバ管理テーブル及び隣接セルリストの更新、並びにセル種別情報の記憶は、基地局がソース基地局である場合、及び、基地局がターゲット基地局である場合の、いずれの場合においても行われる。そして、第１の実施形態の無線通信システム１００では、時間間隔Ｔの間にハンドオーバが発生しない基地局のうち、スモール基地局以外の基地局が、隣接セルリストから削除される。一方、所定の期間ハンドオーバが発生しない基地局であっても、当該基地局がスモール基地局である場合には、当該スモール基地局は、隣接セルリストから削除されない。
【００５６】
第１の実施形態の無線通信システム１００は、登録数が有限である隣接セルリストの隣接基地局情報を、無線通信システムを運用しながら管理することで、運用状態においてハンドオーバ発生頻度の高い隣接基地局を隣接セルリストに登録できる。その結果、第１の実施形態の無線通信システム１００は、無線通信システム全体のハンドオーバ性能を向上することができるという効果が得られる。
【００５７】
さらに、第１の実施形態の無線通信システム１００では、スモール基地局は、隣接セルリストから削除される候補となった場合でも、隣接セルリストから削除されない。このため、第１の実施形態の無線通信システム１００では、スモール基地局が隣接セルリストから削除されることによりマクロセルからスモールセルへのトラフィックのオフロードが抑制される、という問題を回避できる。従って、第１の実施形態の無線通信システム１００は、スモールセルへのトラフィックのオフロードを促進させるという効果も奏する。
【００５８】
このように、第１の実施形態では、隣接セルリストに記載された基地局がスモールセルを配下に持つスモール基地局である場合と、スモール基地局以外の基地局である場合と、で異なる基準に基づいて、所定の頻度で前記隣接セルリストに記載された基地局が隣接セルリストから削除される。第１の実施形態では、隣接セルリストに記載された基地局のうち、所定の時間間隔の間にハンドオーバが実行されなかったスモール基地局以外の基地局のみが削除される。
【００５９】
（第１の実施形態の変形例）
第１の実施形態の効果は、以下の構成を備える最小構成の基地局によっても得られる。すなわち、最小構成の基地局は、隣接セルリストと、隣接基地局情報管理部１２２と、を備える。最小構成の基地局は、配下のセルに存在する端末との通信に用いられる基地局である。隣接セルリストには、基地局の周辺の、他の基地局の情報が記載される。隣接基地局情報管理部１２２は、隣接セルリストを管理し、隣接セルリストに記載された基地局を、所定の基準に基づき、所定の頻度で隣接セルリストから削除する。この際、所定の基準は、隣接セルリストに記載された基地局がスモールセルを配下に持つスモール基地局である場合とスモール基地局以外の基地局である場合とにより異なっている。
【００６０】
このような最小構成を備える基地局は、基地局を隣接セルリストから削除する際に、異なる基準を用いる。このため、スモール基地局とスモール基地局以外の基地局とで、隣接セルリストから削除される比率を異なるものとすることができる。その結果、最小構成を備える基地局は、スモール基地局が隣接セルリストから削除されることによりマクロセルからスモールセルへのトラフィックのオフロードが抑制される、という問題を回避できる。従って、最小構成の基地局は、スモールセルへのトラフィックのオフロードを促進できるという効果を奏する。
【００６１】
（第２の実施形態）
第１の実施形態の無線通信システム１００では、ハンドオーバの頻度が低いスモール基地局以外の基地局が、隣接セルリストから削除される。しかし、スモール基地局以外の基地局が削除されることで、隣接セルリストに記載されるスモール基地局の比率が増加する結果、トラフィックがスモール基地局に偏り、スモール基地局の伝送能力が逼迫する可能性がある。第２の実施形態では、隣接セルリストに記載されるスモール基地局の比率の増加を抑制するための、隣接セルリストの更新手順について説明する。
【００６２】
第２の実施形態では、隣接セルリストから基地局が削除されるかどうかは、基地局のセル種別情報及び所定の時間間隔の間のハンドオーバ発生回数に基づいて決定される。第２の実施形態では、隣接セルリストに記載された基地局がスモールセルを配下に持つスモール基地局である場合とスモール基地局以外の基地局である場合とで、隣接セルリストから削除される基準となるハンドオーバ回数が異なる。
【００６３】
第２の実施形態における基地局の構成及び基本的な動作は図１及び図２と同様である。ただし、第２の実施形態では、図２におけるステップａ２２、ａ２３における隣接セルリストの更新手順が第１の実施形態とは異なる。さらに、第２の実施形態では、ハンドオーバ管理部１２４は、所定の時間間隔Ｔが与えられた場合に時間間隔Ｔの間にハンドオーバが発生した回数が求められるように、ハンドオーバの履歴を隣接基地局ごとにハンドオーバ管理テーブルに記録する。
【００６４】
以下に、第２の実施形態の隣接セルリストの更新手順を説明する。図４は、第２の実施形態の隣接セルリストの更新手順を示すフローチャートである。図４の手順は、第１の実施形態のステップａ２２及びａ２３に対応し、ソース基地局（基地局１）及びターゲット基地局（基地局２）で共通である。
【００６５】
基地局１及び基地局２のハンドオーバ管理部１２４は、所定の頻度で、自身が保持しているハンドオーバ管理テーブルを参照して、全ての隣接基地局について、所定の時間間隔Ｔの間にハンドオーバが発生した回数Ｎを調べる（ａ４１）。ハンドオーバ発生時刻が参照される所定の頻度は、例えば、１週間に１回、あるいは１か月に１回であるが、これらに限定されない。また、時間間隔Ｔは例えば２４時間であるが、これに限定されない。ハンドオーバ管理部１２４は、現在と、現在から時間間隔Ｔだけ過去の時点までの間に、ハンドオーバが発生した回数Ｎを調査する。第２の実施形態では、ハンドオーバの発生の有無にかかわらず、すべての隣接基地局を削除候補基地局とする（ａ４２）。ハンドオーバ管理部１２４は、削除候補基地局の情報を隣接基地局情報管理部１２２に通知する（ａ４３）。
【００６６】
隣接基地局情報管理部１２２は、通知された削除候補基地局がスモール基地局であるかどうかを確認する（ａ４４）。隣接基地局情報管理部１２２は、通知された削除候補基地局がスモール基地局であるかどうかを、セル種別情報を参照することで知ることができる。
【００６７】
隣接基地局情報管理部１２２は、係数Ｗ１及びＷ２を設定する。係数Ｗ１は削除候補基地局がスモール基地局以外の基地局である場合の係数である（ａ４４：Ｎｏ〜ａ４５）。Ｗ２は削除候補基地局がスモール基地局である場合の係数である（ａ４４：Ｙｅｓ〜ａ４６）。係数Ｗ１及びＷ２は、０＜Ｗ１＜Ｗ２を満たす。係数Ｗ１及びＷ２は、予め記憶部１２５に記憶されていてもよい。隣接基地局情報管理部１２２は、以下の式（１）及び（２）によりハンドオーバ指標Ｈを計算する（ａ４７）。ハンドオーバ指標Ｈは、削除候補基地局がスモール基地局以外の基地局である場合にはＨ１であり、削除候補基地局がスモール基地局である場合にはＨ２である。
【００６８】
Ｈ１＝Ｗ１×Ｎ  ・・・  （１）
Ｈ２＝Ｗ２×Ｎ  ・・・  （２）
ここで、Ｗ１＜Ｗ２であるので、Ｈ１＜Ｈ２である。
【００６９】
隣接基地局情報管理部１２２は、計算されたハンドオーバ指標Ｈ（Ｈ１及びＨ２）と、ハンドオーバ閾値ＴＨ１とを比較する（ａ４８）。隣接基地局情報管理部１２２は、削除候補基地局のハンドオーバ指標Ｈがハンドオーバ閾値ＴＨ１未満である場合（ａ４８：Ｈ＜ＴＨ１）には、削除候補基地局がスモール基地局であるか否かにかかわらず、削除候補基地局を隣接セルリストから削除する（ａ４９）。一方、ハンドオーバ指標ＨがＴＨ１以上の場合（ａ４８：Ｈ≧ＴＨ１）には、削除候補基地局のセルがスモールセルであるか否かにかかわらず、隣接基地局情報管理部１２２は、削除候補基地局を隣接セルリストから削除しない（ａ５０）。更新された隣接セルリストは、端末４に通知される（ａ５１）。
【００７０】
ここで、ハンドオーバ指標Ｈとハンドオーバ閾値ＴＨ１との関係が、Ｈ１＜ＴＨ１＜Ｈ２である場合には、削除候補基地局がスモール基地局以外の基地局である場合のみ、削除候補基地局が隣接セルリストから削除される。このように、第２の実施形態では、ハンドオーバ回数Ｎに対して、削除候補基地局のセル種別情報に基づく重み付けが行われる。そして、重み付けの結果、スモール基地局は、スモール基地局以外の基地局よりも、隣接セルリストから削除されるためのハンドオーバ回数が大きい。
【００７１】
すなわち、第２の実施形態の隣接セルリストの更新手順では、スモール基地局も削除の対象となる一方で、スモール基地局以外の基地局と比較して、スモール基地局は、ハンドオーバ回数がＷ２／Ｗ１倍以上の場合に、隣接セルリストから削除される。
【００７２】
第２の実施形態では、隣接基地局情報管理部１２２は、ハンドオーバ回数Ｎを削除候補基地局のセル種別情報に基づいて重み付けした結果に基づいて、削除候補基地局を隣接セルリストから削除するかどうかを判断する。このように、第２の実施形態の隣接セルリストの更新手順では、スモール基地局も削除の対象となる一方で、スモール基地局は、スモール基地局以外の基地局と比較して、隣接セルリストから削除されにくい。
【００７３】
このため、第２の実施形態では、スモール基地局へのトラフィックのオフロードが促進されるとともに、スモール基地局を削除の対象としない場合と比較して、隣接セルリストに記載されるスモール基地局の比率の上昇が抑制される。
【００７４】
係数Ｗ１、Ｗ２及びハンドオーバ閾値ＴＨ１の値及びこれらの大小関係は上記に限定されない。係数Ｗ１、Ｗ２及びハンドオーバ閾値ＴＨ１の値を変更することで、隣接基地局情報管理部１２２は、スモール基地局以外の基地局の削除をスモール基地局と比較してどの程度促進させるかを管理できる。
【００７５】
（第３の実施形態）
第２の実施形態では、ハンドオーバ管理テーブルに記載されたハンドオーバ回数に基づいて、ハンドオーバ指標Ｈ（Ｈ１及びＨ２）を算出した。しかし、隣接基地局情報管理部１２２は、削除候補基地局の通信品質に基づいてハンドオーバ指標Ｈを算出してもよい。
【００７６】
第３の実施形態では、隣接セルリストに記載された基地局がスモールセルを配下に持つスモール基地局である場合とスモール基地局以外の基地局である場合とで異なる基準に基づいて、隣接セルリストに記載された基地局が隣接セルリストから削除される。第３の実施形態では、基地局が削除される基準は、基地局のセル種別情報及び通信品質に基づいて設定される。
【００７７】
第３の実施形態における基地局の構成及び基本的な動作は図１、図２及び図４と同様である。ただし、第３の実施形態では、図２におけるステップａ２２、ａ２３における隣接セルリストの更新手順が、第１及び第２の実施形態とは異なる。以下では、第２の実施形態との相違点についてのみ説明する。
【００７８】
以下に、第３の実施形態の隣接セルリストの更新手順を説明する。図５は、第３の実施形態の隣接セルリストの更新手順を示すフローチャートである。図５の手順は、ソース基地局（基地局１）及びターゲット基地局（基地局２）で共通である。
【００７９】
第３の実施形態でも、第２の実施形態と同様に、ハンドオーバの発生有無にかかわらず、すべての隣接基地局を削除候補基地局とする（ａ６１）。ハンドオーバ管理部１２４は、削除候補基地局の情報を隣接基地局情報管理部１２２に通知する（ａ６２）。
【００８０】
隣接基地局情報管理部１２２は、隣接セルリストを参照して、全ての削除候補基地局の通信品質値Ｑを取得する（ａ６３）。通信品質値Ｑは、基地局と端末との通信品質の良否を段階的に示す数値であり、例えば、端末４からの測定報告に含まれる通信品質情報から求められる。第３の実施形態では、通信品質値Ｑは０以上１以下の数値であり、最も通信品質が低い場合がＱ＝０、最も通信品質が高い場合がＱ＝１であるとする。
【００８１】
隣接基地局情報管理部１２２は、通知された削除候補基地局がスモール基地局であるかどうかを確認する（ａ６４）。隣接基地局情報管理部１２２は、係数Ｗ３及びＷ４を設定する（ａ６５、ａ６６）。係数Ｗ３は削除候補基地局がスモール基地局以外の基地局である場合の係数である。係数Ｗ４は削除候補基地局がスモール基地局である場合の係数である。係数Ｗ３及びＷ４は、０＜Ｗ３＜Ｗ４を満たす。係数Ｗ３及びＷ４は、予め記憶部１２５に記憶されていてもよい。隣接基地局情報管理部１２２は、次の式（３）及び（４）によりハンドオーバ指標Ｈを計算する（ａ６７）。ハンドオーバ指標Ｈは、削除候補基地局がスモール基地局以外の基地局である場合にはＨ３であり、削除候補基地局がスモール基地局である場合にはＨ４である。
【００８２】
Ｈ３＝Ｗ３×Ｑ  ・・・  （３）
Ｈ４＝Ｗ４×Ｑ  ・・・  （４）
ここで、Ｗ３＜Ｗ４であるので、Ｈ３＜Ｈ４である。
【００８３】
隣接基地局情報管理部１２２は、計算されたハンドオーバ指標Ｈ（Ｈ３及びＨ４）と、ハンドオーバ閾値ＴＨ２とを比較する（ａ６８）。隣接基地局情報管理部１２２は、削除候補基地局のハンドオーバ指標Ｈがハンドオーバ閾値ＴＨ２未満である場合（ａ６８：Ｈ＜ＴＨ２）には、削除候補基地局がスモール基地局であるか否かにかかわらず、削除候補基地局を隣接セルリストから削除する（ａ６９）。一方、ハンドオーバ指標ＨがＴＨ２以上の場合（ａ６８：Ｈ≧ＴＨ２）には、削除候補基地局のセルがスモールセルであるか否かにかかわらず、隣接基地局情報管理部１２２は、削除候補基地局を隣接セルリストから削除しない（ａ７０）。更新された隣接セルリストは、端末４に報知される（ａ７１）。
【００８４】
ここで、ハンドオーバ指標Ｈとハンドオーバ閾値ＴＨ２との関係が、Ｈ３＜ＴＨ２＜Ｈ４である場合には、削除候補基地局がスモール基地局以外の基地局である場合のみ、削除候補基地局が隣接セルリストから削除される。このように、第３の実施形態では、通信品質情報Ｑに対して、削除候補基地局のセル種別情報に基づく重み付けが行われる。そして、通信品質Ｑが同じ場合には、スモール基地局のハンドオーバ指標Ｈ４は、スモール基地局以外の基地局のハンドオーバ指標Ｈ３よりも大きい。従って、スモール基地局は、スモール基地局以外の基地局よりも、隣接セルリストから削除されにくい。
【００８５】
このように、第３の実施形態の隣接セルリストの更新手順では、スモール基地局も削除の対象となる一方で、スモール基地局以外の基地局と比較して、スモール基地局は、通信品質ＱがＷ４／Ｗ３倍以上の場合に、隣接セルリストから削除される。
【００８６】
このため、第３の実施形態においても、第２の実施形態と同様に、スモール基地局へのトラフィックのオフロードが促進されるとともに、スモール基地局を削除の対象としない場合と比較して、隣接セルリストに記載されるスモール基地局の比率の上昇が抑制される。
【００８７】
係数Ｗ３、Ｗ４及びハンドオーバ閾値ＴＨ２の値及びこれらの大小関係は上記に限定されない。係数Ｗ３、Ｗ４及びハンドオーバ閾値ＴＨ２の値を変更することで、隣接基地局情報管理部１２２は、スモール基地局以外の基地局の削除をスモール基地局と比較してどの程度優先させるかを管理できる。
【００８８】
（第４の実施形態）
さらに、第２の実施形態で説明したハンドオーバ回数Ｎと、第３の実施形態で説明した通信品質値Ｑとを組み合わせて、以下の式（５）及び（６）に基づいてハンドオーバ指標Ｈ５、Ｈ６が求められてもよい。
【００８９】
Ｈ５＝ｐ×Ｈ１＋（１−ｐ）×Ｈ３  ・・・  （５）
Ｈ６＝ｐ×Ｈ２＋（１−ｐ）×Ｈ４  ・・・  （６）
ここで、ｐは０≦ｐ≦１を満たす定数である。ｐ＝１の場合は第２の実施形態に相当し、ｐ＝０の場合は第３の実施形態に相当する。式（５）及び式（６）で求められたハンドオーバ指標Ｈ５及びＨ６を用いて、第２及び第３の実施形態と同様な、削除候補基地局を隣接セルリストから削除するかどうかの判断が可能である。定数ｐを設定することで、ハンドオーバ指標Ｈ５及びＨ６における、ハンドオーバ回数Ｎと通信品質値Ｑとの重みを管理できる。
【００９０】
このように、第２乃至第４の実施形態の隣接セルリストの更新手順では、削除候補基地局のハンドオーバ回数及び通信品質値の少なくとも一方に基づいて、隣接セルリストからの基地局の削除の基準が設定される。
【００９１】
第２乃至第４の実施形態の隣接セルリストの更新手順は、第１の実施形態と同様に、スモールセルへのトラフィックのオフロードを促進させるという効果を奏する。そして、第２乃至第４の実施形態の隣接セルリストの更新手順は、スモール基地局とスモール基地局以外の基地局とで隣接セルリストからの削除基準を異なるものとすることで、スモール基地局以外の基地局が多く削除されることによりスモール基地局にオフロードされるトラフィックが過大とならないようにすることができる。
【００９２】
以上、実施形態を参照して本願発明を説明したが、本願発明は上記の実施形態に限定されない。本願発明の構成や詳細には、本願発明のスコープ内で当業者が理解し得る様々な変更をすることができる。
この出願は、２０１４年３月１８日に出願された日本出願特願２０１４−０５５２８５を基礎とする優先権を主張し、その開示の全てをここに取り込む。
【００９３】
なお、本発明の実施形態は以下の付記のようにも記載されうるが、これらには限定されない。
【００９４】
（付記１）
配下のセルに存在する端末との通信に用いられる基地局であって、
前記基地局の周辺の、他の基地局の情報が記載された隣接セルリストと、
前記隣接セルリストを管理し、前記隣接セルリストに記載された基地局がスモールセルを配下に持つスモール基地局である場合と前記スモール基地局以外の基地局である場合とで異なる基準に基づいて、前記隣接セルリストに記載された基地局の情報を所定の頻度で前記隣接セルリストから削除する隣接基地局情報管理手段と、を備えることを特徴とする基地局。
【００９５】
（付記２）
前記スモールセルは、マクロセルよりもサービスエリアが狭いセルである、
ことを特徴とする付記１に記載された基地局。
【００９６】
（付記３）
さらに、
前記端末と通信するための第１の通信手段と、
前記他の基地局と通信するための第２の通信手段と、
前記他の基地局の配下のセルが、前記スモールセルであるか前記スモールセル以外のセルであるかを示すセル種別情報を取得するセル種別情報取得手段と、
前記端末のハンドオーバ先の基地局を決定するハンドオーバ処理手段と、
前記ハンドオーバ先の基地局へのハンドオーバが発生した時刻であるハンドオーバ発生時刻と前記ハンドオーバ先の基地局の情報とを記憶するハンドオーバ管理テーブルと、
前記ハンドオーバ管理テーブルを管理するハンドオーバ管理手段と、を備える付記１又は２に記載された基地局。
【００９７】
（付記４）
前記ハンドオーバ管理手段は、
前記隣接セルリストに記載された基地局のうち、所定の時間間隔の間にハンドオーバが発生していなかった基地局を前記所定の頻度で前記ハンドオーバ管理テーブルから抽出して削除候補基地局とし、
前記削除候補基地局が前記スモール基地局である場合には前記削除候補基地局の情報を前記隣接セルリストから削除せず、
前記削除候補基地局が前記スモール基地局以外の基地局である場合には前記削除候補基地局の情報を前記隣接セルリストから削除する、ことを特徴とする付記３に記載された基地局。
【００９８】
（付記５）
前記基準は所定の時間間隔の間のハンドオーバ発生回数に基づいて設定されることを特徴とする、付記３に記載された基地局。
【００９９】
（付記６）
前記ハンドオーバ管理手段は、
前記ハンドオーバ発生回数に、前記隣接セルリストに記載された基地局が前記スモール基地局である場合と前記隣接セルリストに記載された基地局が前記スモール基地局以外の基地局である場合とで異なる係数を乗算し、
前記乗算の結果と所定の閾値との比較結果に基づいて前記隣接セルリストに記載された基地局の情報を前記隣接セルリストから削除するかどうかを前記所定の頻度で決定する、ことを特徴とする付記５に記載された基地局。
【０１００】
（付記７）
前記基準は前記端末から通知された前記他の基地局との通信品質を示す数値に基づいて設定されることを特徴とする、付記３に記載された基地局。
【０１０１】
（付記８）
前記ハンドオーバ管理手段は、
前記通信品質を示す数値に、前記隣接セルリストに記載された基地局が前記スモール基地局である場合と前記隣接セルリストに記載された基地局が前記スモール基地局以外の基地局である場合とで異なる係数を乗算し、
前記乗算の結果と所定の閾値との比較結果に基づいて前記隣接セルリストに記載された基地局の情報を前記隣接セルリストから削除するかどうかを前記所定の頻度で決定する、ことを特徴とする付記７に記載された基地局。
【０１０２】
（付記９）
前記隣接セルリストは前記基地局の内部に記憶されていることを特徴とする、付記１乃至８のいずれかに記載された基地局。
【０１０３】
（付記１０）
付記３乃至９のいずれかに記載された基地局と端末とを備え、前記端末は前記基地局の前記第１の通信手段と通信するように構成された、通信システム。
【０１０４】
（付記１１）
さらに、
前記基地局と通信可能なＳＯＮ（Self Organized Network）サーバを備え、
前記ＳＯＮサーバは、前記隣接セルリストを記憶する、
ことを特徴とする付記１０に記載された通信システム。
【０１０５】
（付記１２）
移動通信システムで用いられる基地局の情報が記載された隣接セルリストに記載された基地局の情報を、スモールセルを配下に持つスモール基地局である場合と前記隣接セルリストに記載された基地局が前記スモール基地局以外の基地局である場合とで異なる基準に基づいて、所定の頻度で前記隣接セルリストから削除する、ことを特徴とする基地局の制御方法。
【０１０６】
（付記１３）
配下のセルに存在する端末との通信に用いられる基地局のコンピュータを、
前記基地局の周辺の他の基地局の情報が記載された隣接セルリストを管理する手段、
前記隣接セルリストに記載された基地局がスモールセルを配下に持つスモール基地局である場合と前記スモール基地局以外の基地局である場合とで異なる基準に基づいて、前記隣接セルリストに記載された基地局の情報を所定の頻度で前記隣接セルリストから削除する手段、として動作させるための基地局の制御プログラム。
【符号の説明】
【０１０７】
１、２、３    基地局
４    端末
１１    ネットワーク通信部
１２    基地局動作部
１３    無線通信部
１２１    ハンドオーバ処理部
１２２    隣接基地局情報管理部
１２３    隣接基地局情報報知部
１２４    ハンドオーバ管理部
１２５    記憶部
１２６  セル種別情報取得部
１２７    ＣＰＵ
１２８    メモリ
２００    ＳＯＮサーバ
【図１】
2015141187.tif 000003
【図２】
2015141187.tif 000004
【図３】
2015141187.tif 000005
【図４】
2015141187.tif 000006
【図５】
2015141187.tif 000007
【国際調査報告】
2015141187.tif 000008
2015141187.tif 000009